(57)【要約】【課題】  鋼板が接合される添接板が配置される箇所にもスタッドを配置して、鋼板とコンクリートとの一体化を強め、堅牢な複合構造物を提供する。【解決手段】  鋼部材とコンクリートによる複合構造物において、鋼板１を接合する添接板２を配置する箇所にスタッド付きボルト３を配置し、前記鋼板１上にコンクリート８を打設し、前記鋼板１と前記コンクリート８との一体化を高め、堅牢な構造とする。【選択図】  図１
2009084930.tif 000002
【特許請求の範囲】
【請求項１】
鋼板を接合する添接板を配置する箇所にスタッド付きボルトを配置し、前記鋼板上にコンクリートを打設し、前記鋼板とコンクリートとの一体化を高め、堅牢な構造とすることを特徴とする鋼部材とコンクリートによる複合構造物。
【請求項２】
請求項１記載の鋼部材とコンクリートによる複合構造物において、前記スタッド付きボルトは、ヘッド部と螺合部とを有し、前記ヘッド部にスタッドを一体化させたことを特徴とする鋼部材とコンクリートによる複合構造物。
【発明の詳細な説明】
【技術分野】
【０００１】
本発明は、鋼部材とコンクリートによる複合構造物に関するものである。
【背景技術】
【０００２】
従来、鋼部材を接合するボルトと、鋼部材とコンクリートを接合するスタッドは別々のものであった。
【０００３】
図４は従来の鋼部材とコンクリートによる複合構造物の断面図、図５はその鋼部材とコンクリートによる複合構造物の上面図である。
【０００４】
これらの図において、１０１は鋼板、１０２は鋼板１０１を接合する添接板、１０３は鋼板１０１と添接板１０２を固定するボルト、１０４はボルト１０３のヘッド、１０５はボルト１０３先端の螺子部、１０６は鋼板１０１に接合される添接板１０２が配置される箇所以外に設置されるスタッド、１０７は鋼板１０１上に形成されるコンクリートである。
【０００５】
ここで、スタッド１０６はコンクリート１０７中に突設され、コンクリート１０７の動きを阻止し、鋼板１０１とコンクリート１０７との一体化を図るようにしている。
【０００６】
図６はその複合構造物に用いられる通常のボルトを示す図、図７はその複合構造物に用いられる通常のスタッドを示す図である。
【０００７】
また、図６に示されるように、鋼板１０１を添接板１０２で挟み、そこにヘッド１０４を有するボルト１０３を通して、その先端部の螺子部１０５にナット１０８を螺着して鋼板１０１を添接板１０２で接合するようにしている。
【０００８】
また、図７に示すように、スタッド１０６は鋼板１０１に溶接により固定するようにしている。
【０００９】
図８は上記した鋼部材を有するコンクリートが打設される前の状態を示す複合構造物の写真である。
【特許文献１】なし
【発明の開示】
【発明が解決しようとする課題】
【００１０】
上記した従来の鋼部材とコンクリートによる複合構造物では、鋼板１０１と添接板１０２とは図６に示すような通常のボルト１０３で固定するようにしている。そのため、この添接板１０２の上方には、スタッド１０６が配置されておらず、その分、鋼板１０１とコンクリート１０７との一体化が阻害されるといった問題があった。
【００１１】
本発明は、上記状況に鑑みて、鋼板が接合される添接板が配置される箇所にもスタッドを配置して、鋼板とコンクリートとの一体化を高め、堅牢な鋼部材とコンクリートによる複合構造物を提供することを目的とする。
【課題を解決するための手段】
【００１２】
本発明は、上記目的を達成するために、
〔１〕鋼部材とコンクリートによる複合構造物において、鋼板を接合する添接板を配置する箇所にスタッド付きボルトを配置し、前記鋼板上にコンクリートを打設し、前記鋼板とコンクリートとの一体化を高め、堅牢な構造とすることを特徴とする。
【００１３】
〔２〕上記〔１〕記載の鋼部材とコンクリートによる複合構造物において、前記スタッド付きボルトは、ヘッド部と螺合部とを有し、前記ヘッド部にスタッド部を一体化させたことを特徴とする。
【発明の効果】
【００１４】
本発明によれば、次のような効果を奏することができる。
【００１５】
（１）鋼板上にスタッドを蜜に配置することができ、より強固な複合構造物を構築することができる。
【００１６】
（２）ボルトを配置した場所にもスタッドを容易に配置することができる。
【００１７】
（３）スタッドを溶接により設置する必要がなくなるため、その分施行の手間を省くことができる。
【発明を実施するための最良の形態】
【００１８】
本発明の鋼部材とコンクリートによる複合構造物は、鋼板を接合する添接板を配置する箇所にスタッド付きボルトを配置し、前記鋼板上にコンクリートを打設し、前記鋼板とコンクリートとの一体化を高め、堅牢な構造とする。
【実施例】
【００１９】
以下、本発明の実施の形態について詳細に説明する。
【００２０】
図１は本発明の実施例を示す鋼部材とコンクリートによる複合構造物の断面図、図２はその鋼部材とコンクリートによる複合構造物の上面図、図３は本発明に用いられるスタッド付きボルトの斜視図である。
【００２１】
これらの図において、１は鋼板、２は鋼板１を接合する添接板、３は鋼板１と添接板２を固定するスタッド付きボルト、４はスタッド付きボルト３のヘッド部、５はスタッド付きボルト３の先端の螺子部、６はスタッド付きボルト３のヘッド部４と一体化されたスタッド部、７は鋼板１に接合される添接板２が配置される箇所以外に設置されるスタッド、８は鋼板１上に形成されるコンクリート、９は螺子部５に螺合されるナットである。
【００２２】
以上のように構成することで、これまで通常のスタッドが配置しにくかったボルトを配置する場所、つまり、鋼板１が接合される添接板２が配置される箇所にも、スタッド付きボルト３のヘッド部４と一体化されたスタッド部６を配置することができる。よって、スタッド部６及びスタッド７がコンクリート８中に突設され、コンクリート８の動きを阻止するので、鋼板１とコンクリート８の一体化を図り、強固な複合構造物を得ることができる。
【００２３】
このように、鋼板上に密にスタッドを配置することができるので、より強固な複合構造物を構築することができる。
【００２４】
また、スタッド付きボルトは溶接により設置する必要がなくなるため、その分施行の手間を省くことができる。
【００２５】
なお、本発明は上記実施例に限定されるものではなく、本発明の趣旨に基づき種々の変形が可能であり、これらを本発明の範囲から排除するものではない。
【産業上の利用可能性】
【００２６】
本発明のスタッド付きボルトを有する複合構造物は、鋼板上に密にスタッドを配置することができる堅牢な複合構造物として利用可能である。
【図面の簡単な説明】
【００２７】
【図１】本発明の実施例を示す鋼部材とコンクリートによる複合構造物の断面図である。
【図２】本発明の実施例を示す鋼部材とコンクリートによる複合構造物の上面図である。
【図３】本発明に用いられるスタッド付きボルトの斜視図である。
【図４】従来の鋼部材とコンクリートによる複合構造物の断面図である。
【図５】従来の鋼部材とコンクリートによる複合構造物の上面図である。
【図６】従来の通常のボルトを示す図である。
【図７】従来の通常のスタッドを示す図である。
【図８】従来の鋼部材を有するコンクリートが打設される前の状態を示す複合構造物の写真である。
【符号の説明】
【００２８】
１    鋼板
２    鋼板を接合する添接板
３    スタッド付きボルト
４    スタッド付きボルトのヘッド部
５    スタッド付きボルト先端の螺子部
６    スタッド部
７    スタッド
８    コンクリート
９    ナット
【図１】
2009084930.tif 000003
【図２】
2009084930.tif 000004
【図３】
2009084930.tif 000005
【図４】
2009084930.tif 000006
【図５】
2009084930.tif 000007
【図６】
2009084930.tif 000008
【図７】
2009084930.tif 000009
【図８】
2009084930.tif 000010